(57)【要約】  ゴルフクラブヘッドは、打撃面および反対側の内側面を有するフェースプレートと、後端部と、フェースプレートを後端部に接続するソールとを有する本体を含む。フェースプレート、後端部、およびソールは、部分的に空洞部を画定する。空洞部内にインサートが位置しており、インサートは、フェースプレートの内側面に面するとともにこの内側面から離れているインサート面を有する。
2019509143.tif 000002
【特許請求の範囲】
【請求項１】
ゴルフクラブヘッドであって、
本体であって、
打撃面、およびその反対側の内側面を有するフェースプレート、
後端部、ならびに
前記フェースプレートを前記後端部に接続するソール、を含み、前記フェースプレートの内側面、前記後端部の内側面、および前記ソールの内側面が、部分的に空洞部を画定する、本体と、
前記空洞部内に位置するインサートであって、
前記ソールの前記内側面に接触するように構成された第１の端部、
前記第１の端部の反対側の第２の端部、
前記フェースプレートの前記内側面に面するように構成された前部分、を含み、前記前部分が、
前記フェースプレートの前記内側面と接触しており、かつ前記第１の端部と前記第２の端部との間に位置する第１のインサート面、
前記第１のインサート面に隣接して位置し、かつ前記第１のインサート面からオフセットされている第２のインサート面であって、前記フェースプレートの前記内側面から離間されて、前記第２のインサート面と前記フェースプレートの前記内側面との間の距離を画定する第２のインサート面、を有する、
インサートと
を備えるゴルフクラブヘッド。
【請求項２】
前記第２のインサート面は、前記第２のインサート面に対して垂直な方向における、前記第２のインサート面と前記フェースプレートの前記内側面との間の前記距離が、前記第１の端部付近から前記第２の端部へと増加するようなテーパ角を含む、請求項１に記載のゴルフクラブヘッド。
【請求項３】
前記テーパ角は０．０１°〜２０°の間である、請求項２に記載のゴルフクラブヘッド。
【請求項４】
前記第２のインサート面は、前記インサートの底面付近から前記インサートの上面付近へと延びる方向に、かつ前記インサートのヒール端部付近から前記インサートのトウ端部付近へと延びる方向に、前記フェースプレートに対して凹形である、請求項１に記載のゴルフクラブヘッド。
【請求項５】
前記第２のインサート面と前記フェースプレートの前記内側面との間の前記距離は、０．００５〜０．０６０インチの範囲である、請求項１に記載のゴルフクラブヘッド。
【請求項６】
前記第２のインサート面と前記フェースプレートの前記内側面との間の前記距離は、０．０６０〜０．１２５インチの範囲である、請求項１に記載のゴルフクラブヘッド。
【請求項７】
前記第１のインサート面は、
前記第１の端部に隣接した、前記インサートの前記ヒール端部から前記トウ端部へと延びるクロス部材と、
少なくとも部分的に前記第１の端部から前記第２の端部へと延びる、前記ヒール端部に隣接した第１のアームおよび前記トウ端部に隣接した第２のアームと
を備えるＵ字形状である、請求項１に記載のゴルフクラブヘッド。
【請求項８】
前記第２のインサート面は、前記空洞部内で、前記フェースプレートの前記内側面の０．５％〜１０％と接触する、請求項１に記載のゴルフクラブヘッド。
【請求項９】
前記フェースプレートは、ゴルフボールとのインパクト中に、前記後端部の方向に変形するように構成され、さらに前記インサート面は、インパクト中に前記フェースプレートの移動を制限するように構成される、請求項１に記載のゴルフクラブヘッド。
【請求項１０】
前記フェースプレートは、ゴルフボールとのインパクト中に、前記後端部の方向に変形するように構成され、前記フェースプレートは、インパクト中に、前記インサートの前記第２の面に接触しない、請求項１に記載のゴルフクラブヘッド。
【請求項１１】
前記クラブヘッドの前記ソールは、０．０６０インチ未満の一様な厚さを備える、請求項１に記載のゴルフクラブヘッド。
【請求項１２】
ゴルフクラブヘッドであって、
本体であって、
打撃面、およびその反対側の内側面を有するフェースプレート、
後端部、ならびに
前記フェースプレートを前記後端部に接続するソール、を含み、前記フェースプレートの内側面、前記後端部の内側面、および前記ソールの内側面が、部分的に空洞部を画定する、本体と、
前記空洞部内に位置するインサートであって、
前記ソールの前記内側面に接触するように構成された第１の端部、
前記第１の端部の反対側の第２の端部、
前記フェースプレートの前記内側面に面するように構成された前部分、を含み、前記前部分が、
前記フェースプレートの前記内側面と接触しており、かつ前記第１の端部と前記第２の端部との間に位置する、１つまたは複数のリブまたは突起部を有する第１のインサート面、
前記第１のインサート面に隣接して位置し、かつ前記第１のインサート面からオフセットされている第２のインサート面であって、前記フェースプレートの前記内側面から離間されている第２のインサート面、を有する、
インサートと
を備えるゴルフクラブヘッド。
【請求項１３】
前記第２のインサート面は、前記第２のインサート面に対して垂直な方向における、前記第２のインサート面と前記フェースプレートの前記内側面との間の前記距離が、前記第１の端部付近から前記第２の端部へと増加するようなテーパ角を含む、請求項１２に記載のゴルフクラブヘッド。
【請求項１４】
前記テーパ角は０．０１°〜２０°の間である、請求項１３に記載のゴルフクラブヘッド。
【請求項１５】
前記第２のインサート面は、前記インサートの底面付近から前記インサートの上面付近へと延びる方向に、かつ前記インサートのヒール端部付近から前記インサートのトウ端部付近へと延びる方向に、前記フェースプレートに対して凹形である、請求項１２に記載のゴルフクラブヘッド。
【請求項１６】
前記第２のインサート面と前記フェースプレートの前記内側面との間の前記距離は、０．００５〜０．０６０インチの範囲である、請求項１２に記載のゴルフクラブヘッド。
【請求項１７】
前記第２のインサート面と前記フェースプレートの前記内側面との間の前記距離は、０．０６０〜０．１２５インチの範囲である、請求項１２に記載のゴルフクラブヘッド。
【請求項１８】
前記第１のインサート面は、前記ヒール端部に隣接した第１のアームと、前記トウ端部に隣接した第２のアームとを備え、前記第１のアームおよび前記第２のアームは、少なくとも部分的に前記第１の端部から前記第２の端部へと延びる、請求項１２に記載のゴルフクラブヘッド。
【請求項１９】
前記第２のインサート面は、前記空洞部内で、前記フェースプレートの前記内側面の０．５％〜１０％と接触する、請求項１２に記載のゴルフクラブヘッド。
【請求項２０】
前記クラブヘッドの前記ソールは、０．０６０インチ未満の一様な厚さを備える、請求項１２に記載のゴルフクラブヘッド。
【発明の詳細な説明】
【技術分野】
【０００１】
関連出願への相互参照
本出願は、２０１６年３月２５日に出願された米国特許仮出願第６２／３１３，２１４号の利益を主張するものであり、その内容の全体を参照により本明細書に組み込む。
【０００２】
本開示は、ゴルフクラブに関し、またより詳細には、ゴルフクラブのフェースプレートの可逆的な弾性変形を可能にする一方で、変形制限も加えて不可逆的な塑性変形の危険を低下させるサポートに関する。
【背景技術】
【０００３】
ゴルフクラブは、例えば、ウッド、ハイブリッド、アイアン、ウェッジ、またはパターなどの様々な形態を取るが、これらのクラブは、一般に、ヘッド形状および設計（例えば、ウッドとアイアンとの間の差など）、クラブヘッド材料、シャフト材料、クラブ長さ、およびクラブのロフトが異なっている。
【０００４】
一般に、ゴルフボールとのインパクト中に、ゴルフクラブのフェースプレートは、一定量の変形を受ける。より具体的には、フェースプレートは、ゴルフボールとのインパクト時に撓んでばね状に復元するように、撓みの形の弾性変形を受ける。この弾性変形は、反発係数（ＣＯＲ）を増加させる。より高いＣＯＲは、インパクト時にゴルフボールへ伝達される運動エネルギーを増加させて、一般に、ゴルフボールの速度、およびゴルフボールの飛距離を増加させる。
【０００５】
いくつかのゴルフクラブにおいては、インパクト時のフェースプレートの撓みを増加させるために、フェースプレート厚さを減少させる。しかし、フェースプレートの過度の撓みは、時間が経つにつれて不可逆的な塑性変形を生ずるおそれがある。フェースプレートの塑性変形は、弾性変形の量、および得られる利用可能な「ばね効果」を低下させ、最終的に、最適なゴルフボール速度およびゴルフボール飛距離を生成するクラブヘッドの能力を低下させる。
【発明の概要】
【発明が解決しようとする課題】
【０００６】
ゴルフクラブは、様々な知られた設計を有するが、ゴルフボールとのインパクト中に、ゴルフクラブのフェースプレートの弾性変形を可能にする一方で、弾性変形に制限も加えて、ゴルフクラブのフェースプレートの不可逆的な塑性変形の危険を低下させることが求められている。
【図面の簡単な説明】
【０００７】
【図１】本明細書で開示される遅延サポートの１つまたは複数の実施形態を含むゴルフクラブヘッドの斜視図である。
【０００８】
【図２】フェースプレートを示す図１のクラブヘッドの第１の側面図である。
【０００９】
【図３】図２とは反対側の裏面を示す、図１のクラブヘッドの第２の側面図である。
【００１０】
【図４】図１のクラブヘッドの上面図である。
【００１１】
【図５】図４の線５−５に沿った、遅延サポートを除去した状態の図１のクラブヘッドの横断面図である。
【００１２】
【図６】図１のゴルフクラブヘッドと共に使用される遅延サポートの実施形態の斜視図である。
【００１３】
【図７】図６で示されるものとは反対側の図６の遅延サポートの第２の斜視図である。
【００１４】
【図８】図６の線８−８に沿った図６の遅延サポートの横断面図である。
【００１５】
【図９】図４の線９−９に沿った、空洞部内に位置する図６のインサートを備えた図１のゴルフクラブの横断面図である。
【００１６】
【図９Ａ】図６のインサートの実施形態が空洞部内に位置する状態の、図４の線９−９に沿った、インサートとフェースプレートとの間の大きな間隙を画定する図１のゴルフクラブの横断面図である。
【００１７】
【図１０】遅延サポートの別の実施形態が空洞部内に位置する状態の、図４の線５−５に沿った図１のゴルフクラブの横断面図である。
【００１８】
【図１１】図１のクラブヘッドの正面図である。
【００１９】
【図１１Ａ】図１１のゴルフクラブヘッドと共に使用される遅延サポートの実施形態の正面図である。
【００２０】
【図１１Ｂ】図１１Ａの遅延サポートの側面斜視図である。
【００２１】
【図１１Ｃ】図１１のゴルフクラブヘッドと共に使用される遅延サポートの実施形態の正面図である。
【００２２】
【図１１Ｄ】図１１Ｃの遅延サポートの側面斜視図である。
【００２３】
【図１２Ａ】図１１、図１１Ａ、および図１１Ｂのゴルフクラブヘッドおよび遅延インサートの線１２Ａ−１２Ａに沿った側面横断面図である。
【００２４】
【図１２Ｂ】図１１、図１１Ａ、および図１１Ｂのゴルフクラブヘッドおよび遅延インサートの線１２Ｂ−１２Ｂに沿った上面横断面図である。
【発明を実施するための形態】
【００２５】
本明細書に開示されるゴルフクラブヘッドは、打撃面、およびその反対側の内側面を有するフェースプレート、後端部、ならびにフェースプレートを後端部に接続するソール、を含む本体を備えている。フェースプレートの内側面、後端部の内側面、およびソールの内側面が、部分的に空洞部を画定する。インサートが空洞部内に位置しており、インサートは、フェースプレートの内側面に面するとともにそれから離れているインサート面を有する。多くの実施形態では、インサート面がインパクト中のフェースプレートにおける所望量の撓み（または変形）を許容し、一方で、塑性変形が生じる前にフェースプレートを補強する。他の実施形態では、インパクト中にフェースプレートをサポートしないように、インサートがフェースプレートから十分に離れることができる。
【００２６】
他の実施形態では、ゴルフクラブヘッドは、フェースプレート、後端部、ならびに前記フェースプレートを前記後端部に接続するソール、を含む本体を備えている。フェースプレート、後端部、およびソールが、部分的に空洞部を画定する。後端部が空洞部に面する内側面を有している。インサートが空洞部内に位置しており、インサートは、後端部の内側面に面するとともにそれから離れているインサート面を有する。
【００２７】
他の実施形態では、ゴルフクラブヘッドは、打撃面、およびその反対側の第１の内側面を有するフェースプレート、後端部、ならびに前記フェースプレートを前記後端部に接続するソール、を含む本体を備えている。フェースプレート、後端部、およびソールが、部分的に空洞部を画定し、後端部が空洞部に面する第２の内側面を有する。突起部が、第１の内側面と第２の内側面の一方に連結する。突起部は、第１の内側面と第２の内側面の他方に面するとともにそれから離れている接触面を有する。
【００２８】
本明細書に開示されるように、ゴルフクラブの「ロフト」または「ロフト角」という用語は、クラブフェースとシャフトの間に形成される角度を示しており、その角度は任意の適切なロフトおよびライ器具によって測定される。
【００２９】
もしあれば、本明細書および特許請求の範囲における用語「第１」、「第２」、「第３」、「第４」等は、類似要素を区別するために使用され、必ずしも特定の連続した順序または古い順を記述するためのものではない。そのように使用された用語は、本明細書に記載される実施形態が例えば、例示されているかまたは別様に本明細書に記載されているもの以外の順序で操作可能であるように、適切な状況において置き換え可能であると理解すべきである。さらに、用語「含む」および「有する」ならびにこれらの任意の活用形は、要素のリストを含むプロセス、方法、システム、物品、デバイス、もしくは装置が必ずしもそれらの要素に限定されていないが、明示的に列挙されていないか、またはかかるプロセス、方法、システム、物品、デバイス、もしくは装置に固有ではない他の要素を含んでもよいように、非排他的包含を網羅することが意図される。
【００３０】
もしあれば、本明細書および特許請求の範囲における用語「左」、「右」、「前」、「後」、「上」、「下」、「の上」、「の下」等は、説明目的で使用され、必ずしも永久的な相対位置を記述するためのものではない。そのように使用された用語は、本明細書に記載される製造装置、製造方法、および／または製造物品の実施形態が、例えば、例示されているかまたは別様に本明細書に記載されているもの以外の配向で操作可能であるように、適切な状況において置き換え可能であると理解すべきである。
【００３１】
用語「連結する（ｃｏｕｐｌｅ、ｃｏｕｐｌｅｓ）」、「連結された」、「連結している」等は、広く理解されるべきであり、２つまたはそれ以上の要素を機械的に、または別の方法で接続することを意味する。（機械的なまたは別の方法での）連結は、任意の長さの時間、例えば、永久的、または半永久的、またはほんの一瞬であってもよい。
【００３２】
他の特徴および態様は、以下の詳細な説明および添付図面を検討すれば明らかになろう。本開示のいずれかの実施形態を詳細に説明する前に、本開示は、その適用において、以下の説明に記載の、または図面に示される構成要素の細部もしくは構成および配置に限定されないことを理解されたい。本開示は、他の実施形態をサポートすることができ、かつ様々な方法で実施または実行することができる。特定の実施形態の記述は、本開示が、本開示の趣旨および範囲に含まれるすべての変更形態、均等な形態、および代替形態を含むことを制限するように意図するものではないことを理解されたい。さらに、本明細書で使用される表現法および専門用語は、説明のためのものであり、限定するものと見なすべきではないことを理解されたい。
【００３３】
論議および理解を容易にするために、また単に説明の目的で、以下の詳細な記述では、ゴルフクラブヘッド１０をアイアンとして説明する。本明細書で開示されるように、ゴルフボールとのインパクト中に、ゴルフクラブのフェースプレートの弾性変形を可能にし、またゴルフクラブのフェースプレートの不可逆的な塑性変形の危険を低減するように弾性変形に制限を加える遅延サポートの１つまたは複数の実施形態を説明するために、アイアンが提供されることを理解されたい。遅延サポートの開示される実施形態は、フェースプレートが、ゴルフボールのインパクト中に変形し、かつフェースプレートの弾性変形の危険がある、任意の望ましいアイアン、ウッド、ハイブリッド、または他のゴルフクラブで使用することができる。例えば、クラブヘッド１０は、これだけに限らないが、ドライバー、フェアウェイ・ウッド、ハイブリッド、１番アイアン、２番アイアン、３番アイアン、４番アイアン、５番アイアン、６番アイアン、７番アイアン、８番アイアン、９番アイアン、ピッチングウェッジ、ギャップウェッジ、ユーティリティウェッジ、サンドウェッジ、ロブウェッジ、および／またはパターを含むことができる。加えて、ゴルフクラブヘッド１０は、約３度から約６５度（３、３．５、４、４．５、５、５．５、６、６．５、７、７．５、８、８．５、９、９．５、１０、１０．５、１１、１１．５、１２、１２．５、１３、１３．５、１４、１４．５、１５、１５．５、１６、１６．５、１７、１７．５、１８、１８．５、１９、１９．５、２０、２０．５、２１、２１．５、２２、２２．５、２３、２３．５、２４、２４．５、２５、２５．５、２６、２６．５、２７、２７．５、２８、２８．５、２９、２９．５、３０、３０．５、３１、３１．５、３２、３２．５、３３、３３．５、３４、３４．５、３５、３５．５、３６、３６．５、３７、３７．５、３８、３８．５、３９、３９．５、４０、４０．５、４１、４１．５、４２、４２．５、４３、４３．５、４４、４４．５、４５、４５．５、４６、４６．５、４７、４７．５、４８、４８．５、４９、４９．５、５０、５０．５、５１、５１．５、５２、５２．５、５３、５３．５、５４、５４．５、５５、５５．５、５６、５６．５、５７、５７．５、５８、５８．５、５９、５９．５、６０、６０．５、６１．６１．５、６２、６２．５、６３、６３．５、６４、６４．５、および／または６５度に限らないが、これらを含む）の範囲とすることのできるロフトを有することができる。
【００３４】
さらに詳細な説明は、「遅延サポート」の１つまたは複数の実施形態を参照する。遅延サポートは、ゴルフボールとのインパクト中に、フェースプレートをサポートする、または補強する１つまたは複数の構造的な構成要素を表す。しかし、塑性変形を受けないように、サポートが、変形または撓みを低減する、制限する、最小化する、または止める前に、フェースプレートの変形または撓みの望ましい量を可能にするために、サポートはインパクト中に遅延される。ある量の変形または撓みを可能にすることにより、フェースプレートは、有利なばね状の効果を生成する。
【００３５】
Ｉ）ゴルフクラブヘッド
次に図を参照すると、図１〜図４は、本明細書で開示される遅延サポートの１つまたは複数の実施形態を組み込むゴルフクラブヘッド１０の実施形態を示している。ゴルフクラブヘッド１０は、ヒールまたはヒール端部２２の反対側にトウまたはトウ端部１８を有する本体１４を含む。本体１４はまた、ソールまたは底部３０の反対側に、上部または上部線またはクラウン２６を含む。本体１４は、打撃面３６（図１〜図２および図４で示される）を画定し、かつ後端部または裏面または後部または裏側３８（図３〜図４で示される）とは反対側にあるフェースプレートまたは打撃プレートまたはクラブフェース３４（図１〜図２および図４で示される）を担持する。複数の溝４０（図１、図２および図４で示される）が、フェースプレート３４上に配置される。ゴルフクラブヘッド１０はまた、ホーゼル４４の中心を通って延びるホーゼル軸４８（図２で示す）を有するホーゼル４４を含む。ホーゼル４４は、グリップ（図示せず）を担持するゴルフクラブ・シャフト（図示せず）を受け入れるように構成される。
【００３６】
フェースプレート３４は、フェースプレート３４の打撃面３６と第１の内側面７２との間で測定された厚さをさらに含む。いくつかの実施形態では、フェースプレート３４は、一様な厚さを有することができる。一様な厚さは、０．０２５から０．１５０インチの範囲内とすることができる。例えば、いくつかの実施形態では、厚さは、０．０２５〜０．０５０、０．０３０〜０．０７０、０．０４０〜０．０９０、０．０４０〜０．１１０、０．０５０〜０．１２５、０．０５０〜０．１５０、０．６０〜０．１５０、または０．６５〜０．１５０インチ内とすることができる。
【００３７】
他の実施形態では、フェースプレート３４は、可変フェース厚さ「ＶＦＴ（ｖａｒｉａｂｌｅ  ｆａｃｅ  ｔｈｉｃｋｎｅｓｓ）」（図示せず）を含むことができる。ＶＦＴを含むフェースプレート３４は、フェースプレート３４が、最高の応力を受ける領域では、より大きな厚さを備え、より低い応力を受ける領域では、より低い厚さを備えることができる。例えば、多くの実施形態において、フェースプレート３４の周辺は受ける応力がより低い可能性があり、高い応力を受けるためにより大きな厚さを有することのできるフェースプレート３４の中心よりも、少ない厚さを備えることができる。いくつかの実施形態では、ＶＦＴは、０．１０インチ未満の最小厚さと、０．２５インチ未満の最大厚さを有することができる。例えば、いくつかの実施形態では、最小厚さは、０．１０、０．０９、０．０８、０．０７、０．０６、０．０５、０．０４、または０．０３インチ未満とすることができ、また最大厚さは、０．２５、０．２４、０．２３、０．２２、０．２１、０．２０、０．１９、０．１８、０．１７、０．１６、０．１５、０．１４、０．１３、０．１２、０．１１、０．１０、０．０９、０．０８、０．０７、０．０６、または０．０５インチ未満とすることができる。フェースプレート３４のＶＦＴ領域の厚さは、最小厚さと最大厚さとの間で変化することができる。
【００３８】
フェースプレート３４は、チタン、鋼、アルミニウム、タングステン、ベリリウムニッケル、ベリリウム銅、チタン合金、合金鋼、複合材料、セラミックス、またはそれらの任意の組合せなど、任意の材料を含むことができる。いくつかの実施形態では、フェースプレート３４は、１７−４鋼、４５５鋼、４７５鋼、８６２０鋼、１０２５鋼、Ｔｉ６−４、ＳＰ７００、Ｃ３００鋼、Ｃ３５０鋼、Ｎｉ−Ｃｏ−Ｃｒ合金鋼、５６５鋼、または任意の他の適切な材料などの材料を含むことができる。さらにいくつかの実施形態では、前述の材料のいずれも、望ましい材料特性を変える、または達成するために、熱処理工程を受けることができる。
【００３９】
図９を参照すると、クラブヘッド１０のソール３０は、フェースプレート３４付近から後端部３８の方向に延びる一様なソール厚さ３５を含むことができる。示された実施形態では、ソール３０の内側面２６は、ソール３０の外側面の３次元的輪郭に従っており、その厚さは、フェースプレート３４付近から後端部３８の方向に、かつトウ端部１８付近からヒール端部２２へと実質的に一定のままである。いくつかの実施形態では、ソール厚さ３５は、０．０１５〜０．０８５インチの範囲内とすることができる。他の実施形態では、ソール３０は、０．０２０〜０．０７５、０．０２５〜０．０７０、０．０３０〜０．０６５、または０．０４０〜０．０６０の範囲に含まれる一様な厚さを有することができる。他の実施形態では、ソール３０は、０．０８５インチ未満、０．０８０インチ未満、０．０７５インチ未満、０．０７０インチ未満、０．０６５インチ未満、０．０６０インチ未満、０．０５５インチ未満、０．０５０インチ未満、０．０４５インチ未満、または０．０４０インチ未満の一様な厚さを有することができる。他の実施形態では、ソール３０は、０．０１５、０．０２０、０．０２５、０．０３０、０．０３５、０．０４０、０．０４５、０．０５０、０．０５５、０．０６０、０．０６５、０．０７０、０．０７５、０．０８０、または０．０８５インチの一様な厚さを有することができる。
【００４０】
他の実施形態では、クラブヘッド１０のソール３０は、異なる厚さを有する複数の層（図示せず）を備えることができる。例えば、いくつかの実施形態では、ソール３０は、第１の実質的に一定の厚さを有する、フェースプレート３４に隣接する第１の層、および第１の層に隣接する第２の層を含む遷移領域を備えることができ、第２の層は、第１の実質的に一定な厚さ未満の第２の実質的に一定な厚さを備える。いくつかの実施形態では、遷移領域は、第２の層に隣接する第３の層をさらに備えることができ、ここで、第３の層は、第１および第２の実質的に一定な厚さ未満の第３の実質的に一定な厚さを備える。他の実施形態では、遷移領域は、米国特許出願第１４／９２０，４８０号で開示された段階状のソールと同様の任意の数の層を備えることができる。
【００４１】
次に図２および図４を参照すると、ゴルフクラブヘッド１０は、ｘ軸５６、ｙ軸６０、およびｚ軸６４を含む座標系の原点を画定する重心またはＣＧ５２を含む。ｘ軸５６（図４で示す）は、トウ端部１８からヒール端部２２へとクラブヘッド１０の重心５２を通って延びる。ｙ軸６０（図２で示す）は、上部２６からソール３０へとクラブヘッド１０の重心５２を通って延びる。ｚ軸６４（図４で示す）は、フェースプレート３４から裏面３８へとクラブヘッド１０の重心５２を通って延びる。本明細書の新考案の記述をさらにガイドするために、ｘ軸５６およびｚ軸６４は、図４におけるアナログ時計上の数と一致するように構成される。ｚ軸６４は、１２時（フェースプレート３４を通る「１２」）と６時（裏面３８を通る「６」）との間で延び、またｘ軸５６は、３時（トウ端部１８を通る「３」）と９時（ヒール端部２２を通る「９」）との間で延びる。
【００４２】
次に図５を参照すると、ゴルフクラブヘッド１０のフェースプレート３４、裏面３８、およびソール３０が、部分的に空洞部６８を画定する。より具体的には、フェースプレート３４の裏面または第１の内側面７２、ソール３０の内側面または上側面、およびクラブヘッド１０の裏面３８の前面または前側または内側面は、空洞部６８を部分的に画定する。空洞部６８をよりよく説明するために、図５は、遅延サポートまたはインサートを除いた状態で空洞部６８を示していることを理解されたい。
【００４３】
インパクト中に、フェースプレート３４は、フェースプレート３４から裏面３８に向けたおおよその移動方向８４（図５で示す）に変形または撓む。ゴルフボール速度およびゴルフボール飛距離を増加させるばね状効果を達成するために、方向８４への何らかの撓みは望ましいものであるが、過度の撓みは、フェースプレート３４の塑性変形を生ずるおそれがある。塑性変形が生じたとき、フェースプレート３４は、撓みが減少し（または撓まない）、それにより、意図したばね状効果が得られず、最適なゴルフボール速度およびゴルフボール飛距離に満たない結果となる。撓みも制限しながら、フェースプレート３４の何らかの撓み（または弾性変形）を提供して、塑性変形の危険を低減する（または回避する）ために、ゴルフクラブヘッド１０は、遅延サポートまたはインサート１００を含む。
【００４４】
ＩＩ）インサート
図６〜図８を参照すると、インサート１００の実施形態が示されている。この実施形態では、インサート１００は、空洞部６８により受け入れられるように、またはその他の形で配置されるように構成されたカスタム・チューニング・ポート（「ＣＴＰ（ｃｕｓｔｏｍ  ｔｕｎｉｎｇ  ｐｏｒｔ）」）ウェイト１００の形態のものである。ウェイト１００は、任意の適切な、または望ましいインサートとすることができ、またこれだけに限らないが、鋼、タングステン、アルミニウム、チタン、複合材料、他の金属、金属合金、ポリマー、プラスチック、および／またはそれらの任意の組合せを含む１つまたは複数の材料から作ることができる。様々な実施形態では、ウェイト１００は、ゴルフクラブヘッド１０と同じ材料から作ることができることも、または異なる材料から作ることもできる。いくつかの実施形態では、ウェイト１００は、ゴルフクラブヘッド１０の製作後に、空洞部６８の中に挿入することができる。他の実施形態では、ウェイト１００は、ゴルフクラブヘッド１０の製作中に（例えば、鋳造、鍛造中になど）空洞部６８に形成することができ、また特に、ゴルフクラブヘッド１０の残りの部分と１つの部品として一体に形成することができる。
【００４５】
インサート１００は、空洞部６８の内側面またはベース面７６と接触するように構成された底面または第１の端部１２８と、底面１２８とは反対側にある上面または第２の端部１３２と、インサート１００が空洞部６８内に配置されたとき、フェースプレート３４の内側面７２に面するように構成された前部分とを含む。前部分は、第１の面または第１のインサート面１０４と、第２の面または第２のインサート面１０８（図６および図８で示す）とをさらに含む。第１の面１０４は、インパクト中にフェースプレート３４の内側面７２に当接するように構成され、かつインパクト中に、フェースプレート３４の内側面７２とは離間またはオフセットされるように構成された第２のインサート面１０８に隣接し、第２のインサート面１０８からオフセットされて配置される。示された実施形態では、弓状の境界１１２が、第１の面１０４と第２の面１０８との間の遷移を画定する。示された実施形態では、第１の面１０４は、インサート１００のヒール端部１１８に隣接する第１のアーム１１６を含み、またインサート１００のトウ端部１１６に隣接する第２のアーム１２０を含み、その両方が、底端部１２８付近から上端部１３２付近へと少なくとも部分的に延びることができる。第１の面１０４は、ヒール端部１１８からトウ端部１１６へと延びる、インサート１００の底端部１２８に隣接するクロス部材１２４をさらに含む。第１のアーム１１６および第２のアーム１２０は、底端部１２８付近でクロス部材１２４の中へと遷移して、全体的に「Ｕ」字または「馬蹄」形状を画定することができる。さらにアーム１１６、１２０、およびクロス部材１２４（すなわち、第１の面１０４）は、共通平面１２６（図６で示される）内に存在することができる。他の実施形態では、第１および第２のインサート面は、インサート１００の前部分において、任意の形状を備えることができる。例えば、いくつかの実施形態では、第１の面１０４は、アーム１１６、１２０、および／またはクロス部材１２４の１つまたは複数のものを欠くことができる。さらなる例の場合、いくつかの実施形態では、第１の面１０４および／または第２の面１０８は、三角形、円形、長方形、多角形、または任意の他の適切な形状を形成することができる。
【００４６】
図６を再度参照すると、示された実施形態においては、第１の面１０４は、インサート１００の前部分の３０％を含む。他の実施形態では、第１の面１０４は、インサート１００の前部分の５％〜５０％の範囲内を含む。例えば、いくつかの実施形態では、第１の面１０４は、インサート１００の前部分の５％から１５％、１０％から２０％、１５％から２５％、２０％から３０％、２５％から３５％、３０％から４０％、３５％から４５％、または４０％から５０％の間で接触することができる。さらに示された実施形態では、アーム１１６、１２０は、インサート１００の合計の、または最大幅の２０％を含む幅（ヒール端部１１８からトウ端部１１６まで）を有する。他の実施形態では、アーム１１６、１２０は、インサート１００の合計または最大幅の５％から４０％の範囲内の幅を有することができる。例えば、いくつかの実施形態では、アーム１１６、１２０は、インサート１００の合計または最大幅の５％から１５％、１０％から２０％、１５％から２５％、２０％から３０％、２５％から３５％、または３０％から４０％の範囲内の幅を備えることができる。さらになお、示された実施形態では、クロス部材１２４は、インサート１００の合計または最大高さの２０％を含む高さ（底端部１２８から第１の端部１３２まで）を有する。他の実施形態では、クロス部材１２４は、インサート１００の合計または最大高さの５％から５０％の範囲内の高さを有することができる。例えば、いくつかの実施形態では、クロス部材１２４は、５％から１５％、１０％から２０％、１５％から２５％、２０％から３０％、２５％から３５％、３０％から４０％、３５％から４５％、または４０％から５０％の範囲内の高さを有することができる。
【００４７】
多くの実施形態では、１つまたは複数のアーム１１６、１２０を備えるインサート１００は、アーム１１６、１２０が、ゴルフボールとのインパクト時に、空洞部内におけるインサート１００の位置を維持するのを助けるので（例えば、アーム１１６、１２０は、ゴルフボールとのインパクト時の力により、インサートが空洞部内で前方にシフトするのを阻止することができる）、反復して使用された後、空洞部の裏側からインサート１００が緩むのを阻止できるという利点がある。
【００４８】
次に図８を参照すると、第２の面１０８は、第１の面１０４からオフセットされた傾斜面またはテーパ付き面とすることができる。特に第２の面１０８は、底面１２８付近から上面１３２に向けて延びる。示された実施形態では、第２の面１０８に対して垂直な方向、または平面１２６に対して垂直な方向における第１の面１０４（または代替的に、平面１２６）と第２の面１０８との間の距離は、底面１２８から上面１３２へと増加する。例えば、第１の位置１３６において、第２の面１０８は、距離Ｄ１だけ第１の面１０４からオフセットされる。比較すると、第１の位置１３６よりも上面１３２に近い（または第１の位置１３６よりも底面１２８から遠い）第２の位置１４０において、第２の面１０８は、距離Ｄ２だけ第１の面１０４からオフセットされており、Ｄ２はＤ１よりも大きい。
【００４９】
示された実施形態では、傾斜した、またはテーパが付けられた第２の面１０８は、第２の面１０８と平面１２６との間の角度により画定されるテーパ角を含むことができる。様々な実施形態では、テーパ角は、０°を超えることができる。例えば、テーパ角は、約０．０１°から約２０°、約０．１０°から約１５°、約０．１０°から約１０°、約０．１０°から約５°、約０．１０°から約２°、または約０．１０°から約１．５°の範囲とすることができる。いくつかの実施形態では、テーパ角は、約１０°以下、約７．５°以下、約５°以下、約３°以下、約２°以下、または約１°以下とすることができる。
【００５０】
さらに平面１２６に対して垂直（または直角）な方向の第２の面１０８と平面１２６（図６で示す）との間の距離は、ｙ軸６０（図２で示す）に沿って、または上部２６からソール３０の方向に一定ではない、または変化する（例えば、増加または減少する）。別の言い方をすれば、第２の面１０８は、間隙１４４だけ平面１２６から離間され、また間隙１４４の幅は、第２の面１０８の一部に沿って、かつ／または平面１２６の一部に沿って変化する（例えば、増加または減少する）。したがって、平面１２６に対して垂直な、平面１２６と第２の面１０８との間の距離は、第２の面１０８の第２の端部１５２（図９を参照のこと）よりも、第２の面１０８の第１の端部１４８（図９を参照のこと）において小さい（ここで、第２の面１０８の第１の端部１４８は、第２の端部１５２よりも底面１２８（図６で示す）に近い）。
【００５１】
第２の面１０８と平面１２６との間の距離（すなわち、第１の面１０４と第２の面１０８との間のオフセット）は、０．００１インチから０．１２５インチの範囲とすることができる。例えば、いくつかの実施形態では、第２の面１０８と平面１２６との間の距離は、０．００５インチから０．１２５インチ、０．０１インチから０．１２５インチ、０．０２インチから０．１２５インチ、０．０３インチから０．１２５インチ、０．０４インチから０．１２５インチ、０．０５インチから０．１２５インチ、０．０６インチから０．１２５インチ、０．００１インチから０．０３０インチ、０．００１インチから０．０４０インチ、０．００１インチから０．０５０インチ、０．００１インチから０．０６０インチ、０．００１インチから０．０７０インチ、０．００１インチから０．０８０インチ、０．００１インチから０．０９０インチ、または０．００１インチから０．１０インチの範囲とすることができる。さらに第２の面１０８と平面１２６との間の最大距離は、０．００５インチを超える、０．０２０インチを超える、０．０３０インチを超える、０．０４０インチを超える、０．０５０インチを超える、０．０６０インチを超える、０．０７５インチを超える、０．１００インチを超える、または０．１２５インチを超えることができる。さらに第２の面１０８と平面１２６との間の最小距離は、０．１００インチ未満、０．０７５インチ未満、０．０６０インチ未満、０．０５０インチ未満、０．０４０インチ未満、０．０３０インチ未満、０．０２０インチ未満、０．０１０インチ未満、０．００５インチ未満、または０．００１インチ未満とすることができる。
【００５２】
インサート１００の他の実施形態では、第２の面１０８は、平面１２６から一様な距離をオフセットすることができる。したがって、平面１２６に対して垂直（すなわち、直角）な方向への第２の面１０８と平面１２６との間の距離は、第２の面１０８の一部に沿って一定である（例えば、増加も減少もしない）。したがって、平面１２６に対して垂直な平面１２６と第２の面１０８との間の距離は、インサート１００の底端部１２８およびインサート１００の上端部１３２付近で同じである。
【００５３】
さらに第２の面１０８は、任意の輪郭に従って変化する平面１２６から可変の非一様な距離をオフセットすることができる。したがって、平面１２６に対して垂直（すなわち、直角）な方向における第２の面１０８と平面１２６との間の距離は、第２の面１０８に沿って様々な位置で変化することができる。例えば、平面１２６に対して垂直（すなわち、直角）な方向における第２の面１０８と平面１２６との間の距離は、ｙ軸６０またはｘ軸３に沿って増加し、減少し、次いで、再度増加することができる。
【００５４】
次に図１０を参照すると、クラブヘッド１０の別の実施形態は、インサート２００の別の実施形態を含む。この実施形態では、インサート２００は、フェースプレート３４の第１の内側面７２から裏面端部３８の第２の内側面８０に向けて空洞部６８の中へと延びるように構成された突起部または突出し部２００として示されている。突出し部２００は、任意の適切な長さ、直径、または関連する寸法のものとすることができる。例えば、突出し部２００は、最高で空洞部６８の大部分となる部分を満たす寸法とすることができる。さらに突出し部２００は、これだけに限らないが、鋼、タングステン、アルミニウム、チタン、複合材料、他の金属、金属合金、ポリマー、プラスチック、および／またはそれらの任意の組合せを含む１つまたは複数の材料から製作することができる。様々な実施形態では、突出し部２００は、ゴルフクラブヘッド１０と同じ材料から作ることができるが、それとは異なる材料から作ることもできる。さらに様々な実施形態では、突出し部２００は、フェースプレート３４に結合することができる、またはその他の形で取り付けることができる、あるいは突出し部２００は、ゴルフクラブヘッド１０の製作中に（例えば、鋳造、鍛造などの間に）、フェースプレート３４と１つの部品として一体に形成することができる。他の実施形態では、突出し部２００はまた、フェースプレート３４の第１の内側面７２上の（例えば、ｘ軸５６、ｙ軸６０、および／またはｚ軸６４に沿った）任意の望ましい位置に配置することもできる。１つまたは複数の実施形態では、複数の突出し部２００を、フェースプレート３４の第１の内側面７２上の様々な位置に配置することができる。
【００５５】
図１０の図では、突出し部２００は、間隙２０８により内側面８０から離間され、かつその反対側に位置する接触面２０４を含む。間隙２０８は、約０．００５インチから約０．１２５インチ、約０．００５インチから約０．０７５インチ、または約０．０２０インチから約０．０４０インチの範囲とすることができる。
【００５６】
クラブヘッド１０の他の実施形態では、突起部または突出し部２００は、裏面端部３８の第２の内側面８０から、フェースプレート３４の第１の内側面７２に向けて空洞部６８の中に延びるように構成される。突出し部２００は、任意の適切な長さ、直径、または関連する寸法のものとすることができる。例えば、突出し部２００は、最高で空洞部６８の大部分となる部分を満たす寸法とすることができる。さらに様々な実施形態では、突出し部２００は後端部３８に結合される、またはその他の形で取り付けることができる、あるいは突出し部２００は、ゴルフクラブヘッド１０の製作中に（例えば、鋳造、鍛造中などに）、裏面端部３８と１つの部品として一体に形成することができる。他の実施形態では、突出し部２００はまた、裏面端部３８の第２の内側面８０上の（例えば、ｘ軸５６、ｙ軸６０、および／またはｚ軸６４に沿った）任意の望ましい位置に配置することもできる。１つまたは複数の実施形態では、複数の突出し部２００を、裏面端部３８の第２の内側面８０上の様々な位置に配置することができる。
【００５７】
図１１Ａおよび図１１Ｂは、クラブヘッド１００の空洞部６８により受け入れられる、またはその他の形で配置されるように構成されたインサート３００の別の実施形態を示している（図１１）。インサート３００は、インサート１００と同様のものであり、同様の番号が同様の機能を参照する。インサート３００は、インサート３００の前面３１０が、異なる構成を有する第１のインサート面３０４および第２のインサート面３０８を備える点でインサート１００とは異なる。
【００５８】
示された実施形態では、第１のインサート面３０４は、底面３２８付近から上面３３２付近へとインサートのトウ端部３１４に沿って延びる第１のアーム３１６と、底面３２８付近から上面３３２付近へとインサートのヒール端部３１８に沿って延びる第２のアーム３２０とを備える。インサート３００の第１の面３０４は、インサート３００の底面３２８に沿って、または隣接して延びるクロス部材を欠いている。
【００５９】
示された実施形態では、インサート３００の第１の面３０４は、フェースプレート３４の内側面７２と接触するように構成された１つまたは複数のリブ３４０をさらに備える。示された実施形態では、インサート３００の第１の面３０４の第１のアーム３１６および第２のアーム３２０はそれぞれ、インサート３００の上面３３２付近から底面３２８付近の方向に延びるリブ３４０を備える。他の実施形態では、インサート３００の第１の面３０４、第１の面３０４の第１のアーム３１６、および／または第１の面３０４の第２のアーム３２０は、任意の方向に延びる任意の数のリブを備えることができる。多くの実施形態において、１つまたは複数のリブ３４０は、フェースプレート３４の内側面７２と接触するように構成される。
【００６０】
他の実施形態では、第１のインサート面３０４は、１つまたは複数のリブ３４０の代わりに、またはそれに加えて１つまたは複数の突起部３４６を備えることができる。これらの実施形態では、１つまたは複数の突起部３４６は、フェースプレート３４の内側面７２と接触するように構成することができる。例えば、図１１Ｃおよび図１１Ｄを参照すると、第１のインサート面３０４は、１つまたは複数の球形突起部３４６をヒール端部３１８付近に、かつ１つまたは複数の球形突起部３４６をトウ端部３１４付近に備えることができる。これらの実施形態においては、突起部３４６は、円形、三角形、楕円形、正方形、長方形、台形、または任意の他の多角形、もしくは少なくとも１つの湾曲した表面を有する形状など、任意の断面形状を有することができる。さらにいくつかの実施形態では、フェースプレート３４の内側面７２と突起部３４６の接触面積は、フェースプレート３４の内側面７２とのリブの接触面積未満とすることができる。
【００６１】
示された実施形態では、インサート３０８の第２の面３０８は、インサート１００のテーパの付いた角度を有する直線的な輪郭ではなく、湾曲した輪郭を備える。インサート３００の第２の面３０８は、インサート３００の底面３２８付近からインサートの上面３３２付近へと延びる方向に、かつインサートのヒール端部３１８付近からインサート３２０のトウ端部３１４付近へと延びる方向に湾曲している。インサートの第２の面３０８の湾曲は、インサート３００の第１の面３０４に対して凹形をしている。他の実施形態では、インサートの第２の面は、インサートの第１の面に対する任意の輪郭に従って変化することができる。
【００６２】
ＩＩＩ）ゴルフクラブヘッドに対するインサート
次に図９を参照すると、フェースプレート３４に関するインサート１００が示されている。第１の面１０４および第２の面１０８は、フェースプレート３４の内側面７２に面するインサート１００の前部分に位置する。第１の面１０４は、内側面７２と接触しているが、第２の面１０８は、内側面７２からオフセットされている。他の実施形態では、第１の面１０４の一部が、内側面７２と接触することができるが、第２の面１０８は、内側面７２からオフセットされる、または離間される。
【００６３】
図９および図９Ａの示された実施形態では、インサート１００の第１の面１０４は、空洞部内で、フェースプレート３４の内側面７２の２５％の部分と接触する。他の実施形態では、インサートの第１の面１０４は、空洞部内で、フェースプレート３４の内側面７２の０．５％〜３０％の範囲内の部分と接触することができる。例えば、いくつかの実施形態では、インサート１００の第１の面１０４は、空洞部内で、フェースプレート３４の内側面７２の１％から５％の間、０．５％から１０％の間、１％から１５％の間、１％から２０％の間、または１％から２５％の間の部分と接触することができる。図１２Ａおよび図１２Ｂの示された実施形態では、インサート１００の第１の面２０４上の１つまたは複数のリブ２４０は、空洞部内で、フェースプレート３４の内側面７２の２％の部分と接触する。他の実施形態では、インサートの第１の面２０４上の１つまたは複数のリブ２４０、または突起部３４６は、空洞部内で、フェースプレート３４の内側面７２の１％〜３０％の範囲内の部分と接触することができる。例えば、いくつかの実施形態では、インサート１００の第１の面２０４上の１つまたは複数のリブ２４０または突起部３４６は、空洞部内で、フェースプレート３４の内側面７２の１％から５％の間、１％から１０％の間、１％から１５％の間、１％から２０％の間、または１％から２５％の間の部分と接触することができる。示された実施形態では、傾斜した、またはテーパが付けられた第２の面１０８は、第２の面１０８とフェースプレート３４の内側面７２との間の角度により画定されるテーパ角を含むことができる。様々な実施形態では、テーパ角は０°を超えることができる。例えば、テーパ角は、約０．０１°から約２０°、約０．１０°から約１５°、約０．１０°から約１０°、約０．１０°から約５°、約０．１０°から約２°、または約０．１０°から約１．５°の範囲とすることができる。いくつかの実施形態では、テーパ角は、約１０°以下、約７．５°以下、約５°以下、約３°以下、約２°以下、または約１°以下とすることができる。示された実施形態では、傾斜した、またはテーパが付けられた第２の面１０８は、傾斜率またはテーパ率または傾斜度を含むことができる。図９〜図９Ａで示されるように、第２の面１０８の傾斜率は負である（左から右に見たとき減少する）。したがって、様々な実施形態では、傾斜率は、約−０．００５から約−０．５００、約−０．０１０から約−０．４００、約−０．０１５から約−０．３００、約−０．０１５から約−０．２００、または約−０．０２０から約−０．２００の範囲とすることができる。いくつかの実施形態では、第２の面１０８の傾斜率は、約−０．４００以上（例えば、−０．３９０、−０．３８５など）、約−０．３００以上（例えば、−０．２９０、−０．２８５など）、または約−０．２００以上（例えば、−０．１９０、−０．１８５など）とすることができる。他の実施形態では、第２の面１０８の傾斜率は、正とすることができる（図５で提供される図など、左から右に見たとき増加する）。したがって、様々な実施形態では、傾斜率は、約０．００５から約０．５００、約０．０１０から約０．４００、約０．０１���から約０．３００、約０．０１５から約０．２００、または約０．０２０から約０．２００の範囲とすることができる。いくつかの実施形態では、第２の面１０８の傾斜率は、約０．４００以下（例えば、０．３９０、０．３８５など）、約０．３００以下（例えば、０．２９０、０．２８５など）、または約０．２００以下（例えば、０．１９０、０．１８５など）とすることができる。
【００６４】
示された実施形態では、内側面７２に対して垂直（または直角）な方向における第２の面１０８と内側面７２との間の距離は、ｙ軸６０に沿って、または上部２６からソール３０への方向において、一定ではない、または変化する（例えば、増加または減少する）。別の言い方をすれば、第２の面１０８は、間隙１４４だけ内側面７２から離間され、また間隙１４４の幅は、第２の面１０８の一部に沿って、かつ／または内側面７２の一部に沿って変化して（例えば、増加または減少する）、傾斜した第２の面１０８を画定する。したがって、内側面７２に対して垂直な、内側面７２と第２の面１０８との間の距離は、第２の面１０８の第２の端部１５２よりも第２の面１０８の第１の端部１４８において小さい（第２の面１０８の第１の端部１４８は、第２の端部１５２よりもソール３０に近い）。
【００６５】
第２の面１０８と、フェースプレート３４の内側面７２との間の距離（すなわち、間隙１４４の幅）は、約０．００１インチから約０．１２５インチの範囲とすることができる。例えば、いくつかの実施形態では、第２の面１０８と、フェースプレート３４の内側面７２との間の距離は、０．００５インチから０．１２５インチ、０．０１インチから０．１２５インチ、０．０２インチから０．１２５インチ、０．０３インチから０．１２５インチ、０．０４インチから０．１２５インチ、０．０５インチから０．１２５インチ、０．０６インチから０．１２５インチ、０．００１インチから０．０３０インチ、０．００１インチから０．０４０インチ、０．００１インチから０．０５０インチ、０．００１インチから０．０６０インチ、０．００１インチから０．０７０インチ、０．００１インチから０．０８０インチ、０．００１インチから０．０９０インチ、または０．００１インチから０．１０インチの範囲とすることができる。さらに第２の面１０８と、フェースプレート３４の内側面７２との間の最大距離は、０．００５インチを超える、０．０２０インチを超える、０．０３０インチを超える、０．０４０インチを超える、０．０５０インチを超える、０．０６０インチを超える、０．０７５インチを超える、０．１００インチを超える、または０．１２５インチを超えることができる。さらに第２の面１０８と、フェースプレート３４の内側面７２との間の最小距離は、０．１００インチ未満、０．０７５インチ未満、０．０６０インチ未満、０．０５０インチ未満、０．０４０インチ未満、０．０３０インチ未満、０．０２０インチ未満、０．０１０インチ未満、０．００５インチ未満、または０．００１インチ未満とすることができる。図９および図９Ａは、第２の面１０８と、フェースプレート３４の内側面７２との間で異なる最大距離を有するインサート１００の実施形態を示している。図９Ａで示された例示的なインサート１００は、図９Ａで示された例示なインサートよりも、第２の面１０８とフェースプレート３４の内側面７２との間が大きい最大距離を含む。
【００６６】
図９、図９Ａ、図１２Ａ、および図１２Ｂで示された実施形態では、内側面７２に対して垂直な、第２の面１０８とフェースプレート３４の内側面７２との間の距離は、ソール３０から離れるにつれ（またはクラウン２６に近づくにつれ）、フェースプレート３４の中心に向けて第２の面１０８に沿ってさらに増加する。これらの実施形態では、第２の面１０８とフェースプレート３４の内側面７２との間の最大距離は、ゴルフボールとのインパクト時に最も曲げを受けるフェースの中心付近に位置する。フェースの中心付近に最大距離を配置することは、フェースの中心付近のフェースの撓みを増加させることができる、かつ／またはフェースの中心付近の曲げの制限をなくすことができる。したがって、フェースの中心で維持される、または増加するフェースの曲げは、インパクト時にゴルフボールへと伝達され、それにより、フェースの裏面およびフェースの中心付近に隣接して位置するインサートを有するクラブヘッドと比較して、ボール速度および移動距離を増加させることができる。
【００６７】
他の実施形態では、インサート１００は、空洞６８内に、または部分的にその外側に、ｙ軸６０に沿って再配置することができ、第１の端部１４８は、第２の端部１５２よりも、ソール３０から遠くに離れて位置することができる。したがって、内側面７２に対して垂直な、第２の面１０８とフェースプレート３４の内側面７２との間の距離は、ソール３０からの距離が増加すると（またはクラウン２６に近くなると）、第２の面１０８に沿って減少する。
【００６８】
クラブヘッド１０の他の実施形態では、第２の面１０８は、フェースプレート３４の内側面７２から一様な距離だけオフセットすることができる。したがって、内側面７２に対して垂直（または直角）な方向における第２の面１０８と内側面７２との間の距離は、第２の面１０８の一部に沿って一定である（例えば、増加も減少もしない）。したがって、内側面７２に対して垂直な、内側面７２と第２の面１０８との間の距離は、第２の面１０８の第１の端部１４８および第２の面１０８の第２の端部１５２で同じである。
【００６９】
クラブヘッド１０の他の実施形態では、第２の面１０８は、フェースプレート３４の内側面７２から、可変の非一様な距離をオフセットすることができる。したがって、内側面７２に対して垂直（または直角）な方向における第２の面１０８と内側面７２との間の距離は、ｘ軸５６、ｙ軸６０、および／またはｚ軸６４に沿った様々な位置で変化することができる。例えば、内側面７２に対して垂直（または直角）な方向における第２の面１０８と内側面７２との間の距離は、ｘ軸５６、ｙ軸６０、および／またはｚ軸６４に沿って増加する、減少する、または同じままであり得る。いくつかの実施形態では、内側面７２に対して垂直（または直角）な方向における第２の面１０８と内側面７２との間の距離は、ｙ軸６０に沿って増加する、減少する、次いで再度増加することができる。他の実施形態では、内側面７２に対して垂直（または直角）な方向における第２の面１０８と内側面７２との間の距離は、インサート１００の底端部１２８付近で最小であり、インサート１００の上部１３２付近で最大になることができる。他の実施形態では、内側面７２に対して垂直（または直角）な方向における第２の面１０８と内側面７２との間の距離は、インサート１００のヒール端部１１８およびトウ端部１１４の付近で最小であり、かつインサート１００の中心付近で最大になり得る。他の実施形態では、内側面７２に対して垂直（または直角）な方向における第２の面１０８と内側面７２との間の距離は、インサートの底端部１２８、ヒール端部１１８、およびトウ端部１１４付近で最小であり、またインサート１００の中心および上端部１３２付近で最大になり得る。
【００７０】
図６〜図９で示されたインサート１００の実施形態は、インサート上の第１の面１０４、および第２の面１０８を示しているが、他の実施形態では、第１の面１０４、および／または第２の面１０８は、クラブヘッド１０の他の構成要素上に位置することもできる。
【００７１】
一実施形態では、第１の面１０４および／または第２の面１０８は、フェースプレート３４の内側面７２上に位置することができる。この実施形態では、第１の面１０４および／または第２の面１０８は、インサート１００に面することができる。インサート１００は、平面１２６内にある内側面７２に面しているが、そこから離間されている面を有することができる（例えば、インサート１００の対向する面は、図９で示される内側面７２と実質的に同じ輪郭を有することができる）。最大でその全体まで含まれる第１の面１０４の一部は、インサート１００の対向する面と接触することができるが、第２の面１０８は、インサート１００の対向する面からオフセットされ得る。第１の面１０４および／または第２の面１０８は、インサート１００ではなく内側面７２上に位置することができるが、上記で述べたように、実質的に同様の幾何形状、傾斜、スペーシング、角度、および／または距離を備えることができる。
【００７２】
別の実施形態では、第１の面１０４および／または第２の面１０８は、裏面端部３８の内側面８０に面するインサート１００の側面に位置することができる。したがって、インサート１００は、フェースプレート３４の内側面７２と接触状態にあるが、前述のように、間隙１４４は、この場合、内側面８０と第２の面１０８との間にある。第１の面１０４の一部は、最大でその全体まで含まれるが、内側面８０と接触状態にあり、一方、第２の面１０８は、内側面８０からオフセットされ得る。第１の面１０４および／または第２の面１０８は、上記で述べたように、実質的に同様の幾何形状、傾斜、スペーシング、角度、および／または距離を備えることができる。
【００７３】
別の実施形態では、第１の面１０４および／または第２の面１０８は、裏面端部３８の内側面８０上に位置することができる。この実施形態では、第１の面１０４および／または第２の面１０８は、インサート１００に面することができる。インサート１００は、フェースプレート３４の内側面７２と接触状態にあるが、前述のように、間隙１４４は、インサート１００と、内側面８０上の第２の面１０８との間にある。第１の面１０４の一部は、最大でその全体まで含まれるが、インサート１００の対向する面と接触することができ、一方、第２の面１０８は、インサート１００の対向する面からオフセットされ得る。第１の面１０４および／または第２の面１０８は、インサート１００ではなく、内側面８０上に位置するが、上記で述べたように、実質的に同様の幾何形状、傾斜、スペーシング、角度、および／または距離を備えることができる。
【００７４】
ＩＶ）遅延サポート・インサート
ゴルフボールとのインパクト中に、インサート１００、３００を有するクラブヘッド１０のフェースプレート３４は、変形または撓みを受ける。フェースプレート３４は、概して、後端部３８に向けた移動方向、すなわち、方向８４に変形する、または撓む。遅延サポートとして働くインサートは、フェースプレート３４が、間隙１４４の一部、または間隙１４４の全体がつぶれるまで変形または撓み続けるように構成される。例えば、フェースプレート３４は、フェースプレート３４の内側面７２が、インサート１００、３００に衝突する（または接触する）まで、より具体的には、インサート１００、３００の第２の面１０８、２０８に衝突するまで、変形または撓むことができる。他の実施形態では、間隙１４４の一部は、部分的に、または完全につぶれ、したがって、第２の面１０８、２０８の一部が、フェースプレート３４の内側面に接触する、またはサポートする。さらに他の実施形態では、間隙１４４の第１の部分は、部分的につぶれ得るが、間隙１４４の第２の部分は、完全につぶれることができる。例えば、間隙１４４またはその一部は、部分的につぶれることができる（例えば、ｘ軸５６、ｙ軸６０、および／またはｚ軸６４により画定される間隙１４４の第１の位置で）。加えて、または代替的に、間隙１４４またはその一部は、完全につぶれることができる（例えば、ｘ軸５６、ｙ軸６０、および／またはｚ軸６４により画定される間隙１４４の第２の位置で）。間隙がつぶれる量および／または位置は、これだけに限らないが、フェースプレート３４上のゴルフボールのインパクト位置（例えば、トウ１８方向、ヒール２２方向、クラウン２６方向、ソール３０方向、「スイートスポット」で、など）、ゴルファーのスイング速度などを含む様々な要因に依存し得る。
【００７５】
間隙１４４がつぶれた後、インサート１００、３００は、部分的に変形して、フェースプレート３４の変形または撓みをさらに増加する。インサート１００がもはや変形できなくなった後、フェースプレート３４の移動が止まる。したがって、インサート１００、３００は、フェースプレート３４がさらなる変形または撓みを生じないようにサポートして、不可逆的な塑性変形に達する危険を低下させる。フェースプレート３４およびインサート１００は、次いで、それらのインパクト前の位置へと復元し（すなわち、間隙１４４が再形成される）、ゴルフボール速度の増加、およびゴルフボール移動距離の増加が得られる望ましいばね状効果を生成する。
【００７６】
これらの実施形態では、第２の面１０８、２０８と、フェースプレート３４の内側面７２との間の最大距離は、フェースプレート３４の最大撓みよりも小さい。多くの実施形態では、第２の面１０８、２０８と、フェースプレート３４の内側面７２との間の最大距離は、遅延サポート１００、３００を有するクラブヘッド１０に対して、０．０１０と０．０６０インチの間、０．０１０と０．０５０インチの間、０．０１０と０．０４０インチの間、０．０１０と０．０３０インチの間、または０．０１０と０．０２０インチの間とすることができる。例えば、第２の面１０８、２０８とフェースプレート３４の内側面７２との間の最大距離は、遅延サポート１００、２０を有するクラブヘッド１０に対して、０．０７０インチ未満、０．０６０インチ未満、０．０５０インチ未満、０．０４０インチ未満、０．０３０インチ未満、または０．２０インチ未満とすることができる。遅延サポート・インサート１００、３００を有するクラブヘッド１０のフェースプレート３４の撓みは、フェースプレート３４の材料、フェースプレート３４の厚さまたは厚さの特徴、インサート１００、３００の材料、および第２の面１０８、２０８とフェースプレート３４の内側面７２との間の距離により決定される。
【００７７】
ゴルフボールとのインパクト中におけるインサート１００、３００を有するクラブヘッド１０の動作をさらに説明するために、実施形態では、間隙１４４の最大の厚さを０．０１２５インチとすることができる。インパクト中に、フェースプレート３４は、フェースプレート３４の内側面７２がインサート１００、３００に衝突する（または接触する）まで、より具体的には、インサート１００の第２の面１０８に衝突して、間隙１４４をつぶすまで、０．０１２５インチ変形する、または撓む。インサート１００、３００は、次いで、さらに０．０１２５インチだけ部分的に変形して、フェースプレート３４の変形または撓みをさらに増加させることができる。例えば、いくつかの実施形態では、インサート１００の第２の面１０８は、フェースプレート３４がさらに変形しないようにサポートする前に、さらに０．０１２５インチだけ変形することができる。したがって、フェースプレート３４の合計の変形または撓みは、約０．０２５０インチである。
【００７８】
クラブヘッド１０の他の実施形態では、突出し部を備えるインサート２００は、ゴルフボールのインパクト時にフェースプレート３４と接触したとき、変形を最小にするために、十分な剛性を有することができる。したがって、インサート２００は、間隙２０８がつぶれた後、フェースプレート３４にサポートを提供し、フェースプレート３４のさらなる変形または撓みを最小化する。
【００７９】
ゴルフボールとのインパクト中に、突出し部２００を有するクラブヘッド１０のフェースプレート３４は、変形または撓みを受ける。フェースプレート３４は、概して裏面端部３８に向けた移動方向８４へと変形し、または撓む。フェースプレート３４は、間隙２０８がつぶれ、かつ突出し部２００の接触面２０４が、空洞部の内側面８０、またはフェースプレート３４の内側面７２に衝突する（またはその他の形で接触する）まで変形し、または撓み続ける。接触面２０４が、内側面８０または内側面７２に衝突した後、突出し部２００は、さらなるフェースプレート３４の変形または撓みを制限することにより、フェースプレート３４の移動を制限する。突出し部２００は、次いで、フェースプレート３４がさらなる変形または撓みを生じないようにサポートして、不可逆的な塑性変形に達する危険を低減する。フェースプレート３４は、次いで、そのインパクト前の位置へと復元し（すなわち、間隙２０８が再形成される）、ゴルフボール速度の増加、およびゴルフボール移動距離の増加が得られる望ましいばね状効果を生成する。
【００８０】
Ｖ）非制限インサート
ゴルフボールとのインパクト中に、インサート１００を有するクラブヘッド１０のフェースプレート３４は、変形または撓みを受ける。フェースプレート３４は、概して後端部３８に向いた移動方向に、すなわち、方向８４に変形し、または撓む。インサート１００、３００は、インパクト時のフェースの撓みが制限されないように構成される。フェースプレート３４は、間隙１４４を完全につぶすことなく、またはインサート１００、３００の第２の面１０８、２０８に接触することなく、最大の撓みに達するまで、撓み続けることになる。これらの実施形態では、第２の面１０８、２０８と、フェースプレート３４の内側面７２との間の最大距離は、フェースプレート３４の最大の撓みよりも大きい。
【００８１】
多くの実施形態では、第２の面１０８、２０８と、フェースプレート３４の内側面７２との間の最大距離は、非制限サポートを備えるインサート１００、３００を有するクラブヘッド１０に対して、０．０１０と０．０６０インチの間、０．０１０と０．０５０インチの間、０．０１０と０．０４０インチの間、０．０１０と０．０３０インチの間、または０．０１０と０．０２０インチの間とすることができる。例えば、第２の面１０８、２０８と、フェースプレート３４の内側面７２との間の最大距離は、非制限サポートを備えるインサート１００、３００を有するクラブヘッド１０に対して、０．０７０インチ未満、０．０６０インチ未満、０．０５０インチ未満、０．０４０インチ未満、０．０３０インチ未満、または０．２０インチ未満とすることができる。
【００８２】
フェースプレート３４が最大の撓みに達した後、フェースプレート３４は、インサート１００、３００の第２の面１０８、２０８に接触することなく、そのインパクト前の位置へと復元する。復元するフェースプレート３４は、ゴルフボール速度の増加、およびゴルフボール移動距離の増加を生ずる望ましいばね状効果を生成する。さらにフェースプレート３４はインサート１００により制限されないので、衝突エネルギーはインサートにより何も吸収されず、したがって、フェースプレート３４は、そのインパクト前の位置へと復元することができ、インパクトからのエネルギーの大きな割合をボールに与えて戻し、ボール速度および移動距離を増加させる。
【００８３】
ＶＩ）インサートを備えるクラブヘッドの利点
本明細書で述べるインサート１００、２００、３００を有するクラブヘッド１０は、フェースに隣接して配置された（すなわち、間隙１４４、２０８、３４４を有しない）インサートを有するクラブヘッド１０と比較して、インパクト時のフェースの撓みを増加させることができる。増加したフェースの撓みは、インパクト時において、ゴルフボールへのエネルギー伝達を増加させることができ、したがって、増加したボール速度、および移動距離が得られる。
【００８４】
さらにインパクト時に、インサートの一部がフェースプレート３４と接触する、本明細書で述べるインサート１００、２００、３００を有するクラブヘッド１０は、フェースプレートから離間された、またはそれと接触しないインサートを有するクラブヘッドと比較して振動を減衰させる。フェースプレートと接触するインサートの一部のため減衰された振動は、フェースに隣接して配置されたインサートを有するクラブヘッドと同様の音響特性（例えば、インパクト時に低い音程、深いサウンドなど）をクラブヘッドが維持できるようにする。対照的に、フェースプレートから離間された、またはそれと接触しないインサートを有するクラブヘッドは、ゴルフボールとのインパクト時に、望ましくない高い音程のサウンドを生ずる可能性がある。
【００８５】
したがって、インサート１００、２００、３００を有するクラブヘッド１０は、ボール速度の増加と、ゴルフボールとのインパクト時におけるクラブヘッドの音響性能をバランスさせることができる。例えば、インサート１００、２００、３００を有するクラブヘッド１０は、他の構成を備えるインサートを有する現在のクラブヘッドと比較して、フェースの撓みとボール速度を同時に増加させるが、ゴルフボールとのインパクト時における音響特性を維持する、または向上させる。
【００８６】
多くの実施形態では、インサート１００、２００、３００を有するクラブヘッド１０は、フェースに隣接して位置するインサートを有する同様のクラブヘッドと比較して、最高で時速２マイルのさらなるボール速度を生ずることができるが、フェースに隣接して位置するインサートを有するクラブヘッドのインパクト時の低周波数の、深い音程のサウンドを維持する。
【００８７】
クラブヘッドの振動および音響は、ハンマ試験を用いて測定することができ、それにより、固有振動数モードを有するフェースプレートの領域にはハンマで衝撃が与えられ、センサが使用されて、ハンマによる衝撃に応じたクラブヘッドの振動周波数が測定される。ハンマ試験は、フェースプレートの内側面と少なくとも部分的に接触するインサートを欠いた同様のクラブヘッドと比較して、またはフェースプレートの内側面と完全に接触するインサートを有する同様のクラブヘッドと比較して、インサート１００、２００、３００を有するクラブヘッド１０の周波数、振動、および／または音響における相違を求めるために使用することができる。
【００８８】
ＶＩＩ）製作する方法
遅延サポート１００を有するクラブヘッド１０を製作する方法が提供される。方法は、クラウン２６、ソール３０、フェースプレート３４、ホーゼル４４、および空洞部６８を有する本体１４を提供することを含む。次にインサート１００を空洞部６８内に配置することができ、また任意選択で、空洞部６８の一部を画定する面７２、７６、８０の１つまたは複数のものにさらに取り付けることができる（図５を参照のこと）。
【００８９】
遅延サポート２００を有するクラブヘッド１０を製作する方法は、クラウン２６、ソール３０、フェースプレート３４、ホーゼル４４、および空洞部６８を有する本体１４を提供することを含むことができる。突出し部２００は、空洞部６８の一部を画定する対向する内側面７２、８０の一方に結合することができる（図１０を参照のこと）、または空洞部６８の一部を画定する対向する内側面７２、８０の一方と一体に形成することができる。
【００９０】
本明細書で述べるクラブヘッド１０を製作する方法は、単に例示的なものに過ぎず、本明細書で提示された実施形態に限定されるものではない。方法は、本明細書で特に示されていない、または述べられていない多くの様々な実施形態または例を使用することができる。いくつかの実施形態では、述べられた方法のプロセスは、任意の適切な順序で実施することができる。他の実施形態では、プロセスの１つまたは複数のものを、組み合わせる、分離する、またはスキップすることができる。
【００９１】
ＶＩＩＩ）例１
例示的なクラブヘッド１０が本明細書で述べられる。例示的なクラブヘッド１０は、１７−４鋼を含むフェースプレート３４を有し、最大フェースプレート厚さがフェースプレートの中心付近で０．１０５インチ、最小フェースプレート厚さはフェースプレートの周辺付近で０．０９５インチ、一様なソール厚さが０．０５５インチ、またインサート３００は、インサート３００の第２の面３０８とフェースプレート３４の内側面７２との間で０．０６０インチの最大距離を有し、空洞部内におけるインサート３００の第２の面３０８とフェースプレート３４の内側面の一部との接触面積パーセントが２．１％である。例示的なクラブヘッド１０は、時速９２マイルのスイング速度で試験したとき、対照（ｃｏｎｔｒｏｌ）クラブヘッドと比較して約０．０３５インチのフェースの撓み、および約時速２マイル増加したボール速度が得られた。
【００９２】
この例において、対照クラブヘッドは同様のクラブヘッドであり、１７−４鋼を含むフェースプレートを有し、最小のフェースプレート厚さがフェースプレートの中心付近で０．０６８インチ、最大のフェースプレート厚さがフェースプレートの周辺付近で０．０８０インチ、一様なソール厚さが０．０５５インチ、またインサート３００は、インサートの第２の面とフェースプレートの内側面との間で０．０インチの（例えば、インサートは、フェースプレートの直接に隣に位置し、間隙を欠いている）最大距離を有し、かつ空洞部内におけるインサート３００の第２の面３０８とフェースプレート３４の内側面の一部との接触面積パーセントが１００％である。対照クラブヘッドは、時速９２マイルのスイング速度で試験したとき、約０．０２５インチのフェースの撓みを受け、または本明細書で述べられた例示的なゴルフヘッドよりも時速２マイル遅いボール速度が得られた。したがって、例示的なクラブヘッド１０は、対照クラブヘッドと比較して、ゴルフボールとのインパクト時に４０％多くのフェースの撓みを受け、またさらに時速２マイルのボール速度が得られた。これらの実施形態では、例示的なクラブヘッドおよび対照クラブヘッドは、摂氏１０５０度で１．５時間熱処理され、その後に摂氏５５０度で４時間熱処理され、それにより、例示的なフェースプレートおよび対照フェースプレートの同様の材料特性が得られた。
【００９３】
１つまたは複数の請求された要素の置き換えは、再構成を構成するものであり、修復は構成しない。さらに、利益、他の利点、および問題に対する解決法を、特定の実施形態に関して上記に説明した。しかし、利益、利点、問題に対する解決法、および任意の利益、利点、または解決法を生じさせ得るかまたはそれらをより明白にし得るいずれの要素（１つまたは複数）も、そのような利益、利点、解決法、または要素が請求項のいずれかまたはすべてにおいて明示的に述べられていない限り、そのような請求項の重要、必要、または不可欠な特徴または要素として解釈すべきではない。
【００９４】
ゴルフのルールは時々変更され得るため（例えば、ゴルフの標準的組織および／または管理機関、例えば、全米ゴルフ協会（ＵＳＧＡ）、全英ゴルフ協会（Ｒ＆Ａ）等によって、新たな規則が採用され得るか、または古い規則が削除または変更されてもよい）、本明細書に記載の装置、方法、および製造物品に関連するゴルフ器具は、任意の特定の時期におけるゴルフのルールに適合する場合も、適合しない場合もある。したがって、本明細書に記載の装置、方法、および製造物品に関連するゴルフ器具は、適合または非適合ゴルフ器具として宣伝され、市場に出され、かつ／または販売される場合がある。本明細書に記載の装置、方法、および製造物品はこの点で限定されない。
【００９５】
上記実施例は、アイアン型ゴルフクラブとの関連で説明され得るが、本明細書に記載の装置、方法、および製造物品は、他の種類のゴルフクラブ、例えば、ドライバーウッド型ゴルフクラブ、フェアウェイウッド型ゴルフクラブ、ハイブリッド型ゴルフクラブ、アイアン型ゴルフクラブ、ウェッジ型ゴルフクラブ、またはパター型ゴルフクラブにも適用できる。あるいは、本明細書に記載の装置、方法、および製造物品は、他の種類のスポーツ器具、例えば、ホッケー用スティック、テニスラケット、釣竿、スキーポール等にも適用できる。
【００９６】
さらに、本明細書に開示される実施形態および制限は、実施形態および／または制限が（１）請求項に明示的に特許請求されておらず、（２）均等論下で請求項の明白な要素および／または制限の潜在的な等価物である場合に、公有の原則下で公衆に供されない。本開示のさまざまな特徴および利点は以下の請求項に記載される。
項目１
ゴルフクラブヘッドであって、
本体であって、
打撃面、およびその反対側の内側面を有するフェースプレート、
後端部、ならびに
前記フェースプレートを前記後端部に接続するソール、を含み、前記フェースプレート、前記後端部、および前記ソールが、部分的に空洞部を画定する、本体と、
前記空洞部内に位置するインサートであって、前記フェースプレートの前記内側面に面するとともにそれから離れているインサート面を有する、インサートと、
を備えるゴルフクラブヘッド。
項目２
前記フェースプレートは、ゴルフボールとのインパクト中に、前記後端部の方向に変形するように構成され、さらに前記インサート面は、前記インパクト中に前記フェースプレートの移動を制限するように構成される、項目１に記載のゴルフクラブヘッド。
項目３
前記インサート面は、第１端部と、前記第１端部よりも前記ソールから離れた第２端部を有しており、前記内側面に垂直な方向であって前記内側面と前記インサート面の間の距離が、前記第１端部から前記第２端部に一定でない、項目１に記載のゴルフクラブヘッド。
項目４
前記距離が、前記第１端部よりも前記第２端部で大きい、項目３のゴルフクラブヘッド。
項目５
前記距離が、前記第２端部で最大である、項目３のゴルフクラブヘッド。
項目６
前記インサート面の一部が、前記内側面に接する、項目４のゴルフクラブヘッド。
項目７
前記内側面と前記インサート面の間の最大距離が、０．００５〜０．１２５インチの範囲である、項目３のゴルフクラブヘッド。
項目８
前記内側面と前記インサート面の間の最大距離が、０．０７５インチよりも大きい、項目３のゴルフクラブヘッド。
項目９
ゴルフクラブヘッドであって、
本体であって、
フェースプレート、
後端部、ならびに
前記フェースプレートを前記後端部に接続するソール、を含み、前記フェースプレート、前記後端部、および前記ソールが、部分的に空洞部を画定しており、前記後端部が前記空洞部に面する内側面を有する、本体と、
前記空洞部内に位置するインサートであって、前記後端部の前記内側面に面するとともにそれから離れているインサート面を有する、インサートと、
を備えるゴルフクラブヘッド。
項目１０
前記フェースプレートは、ゴルフボールとのインパクト中に、前記後端部の方向に変形するように構成され、さらに前記インサート面は、前記インパクト中に前記フェースプレートの移動を制限するように構成される、項目９に記載のゴルフクラブヘッド。
項目１１
前記インサート面は、第１端部と、前記第１端部よりも前記ソールから離れた第２端部を有しており、前記内側面に垂直な方向であって前記内側面と前記インサート面の間の距離が、前記第１端部から前記第２端部に一定でない、項目９に記載のゴルフクラブヘッド
項目１２
前記距離が、前記第１端部よりも前記第２端部で大きい、項目１１のゴルフクラブヘッド。
項目１３
前記距離が、前記第２端部で最大である、項目１１のゴルフクラブヘッド。
項目１４
前記インサート面の一部が、前記内側面に接する、項目１１のゴルフクラブヘッド。
項目１５
前記内側面と前記インサート面の間の最大距離が、０．００５〜０．１２５インチの範囲である、項目１１のゴルフクラブヘッド。
項目１６
前記内側面と前記インサート面の間の最大距離が、０．０７５インチよりも大きい、項目１１のゴルフクラブヘッド。
項目１７
ゴルフクラブヘッドであって、
本体であって、
打撃面、およびその反対側の第１の内側面を有するフェースプレート、
後端部、ならびに
前記フェースプレートを前記後端部に接続するソール、を含み、前記フェースプレート、前記後端部、および前記ソールが、部分的に空洞部を画定しており、前記後端部が前記空洞部に面する第２のインサート面を有する、本体と、
第１の内側面と第２の内側面の一方に連結し、且つ、第１の内側面と第２の内側面の他方に面するとともにそれから離れている接触面を有する、突起部と、
を備えるゴルフクラブヘッド。
項目１８
前記フェースプレートは、ゴルフボールとのインパクト中に、前記後端部の方向に変形するように構成され、さらに前記接触面は、前記インパクト中に前記フェースプレートの移動を制限するように構成される、項目１７に記載のゴルフクラブヘッド。
項目１９
前記接触面と、第１の内側面と第２の内側面の他方に面と、の間の距離が、０．０４インチ以下である、項目１７に記載のゴルフクラブヘッド。
項目２０
前記突起部は、第１の内側面と第２の内側面の一方の一部として一体的に形成されている、項目１７に記載のゴルフクラブヘッド。
【図１】
2019509143.tif 000003
【図２】
2019509143.tif 000004
【図３】
2019509143.tif 000005
【図４】
2019509143.tif 000006
【図５】
2019509143.tif 000007
【図６】
2019509143.tif 000008
【図７】
2019509143.tif 000009
【図８】
2019509143.tif 000010
【図９】
2019509143.tif 000011
【図９Ａ】
2019509143.tif 000012
【図１０】
2019509143.tif 000013
【図１１】
2019509143.tif 000014
【図１１Ａ】
2019509143.tif 000015
【図１１Ｂ】
2019509143.tif 000016
【図１１Ｃ】
2019509143.tif 000017
【図１１Ｄ】
2019509143.tif 000018
【図１２Ａ】
2019509143.tif 000019
【図１２Ｂ】
2019509143.tif 000020
【国際調査報告】
2019509143.tif 000021